(57)【要約】【課題】光路の折り曲げ方に依らず、２種類の結像レンズを容易に判別できる光走査装置及びそれを用いた画像形成装置を提供する。【解決手段】第１、第２の光源手段から出射される第１、第２の光束を偏向する偏向手段と、前記偏向手段により偏向される前記第１、第２の光束を第１、第２の被走査面に導光する第１、第２の結像光学系であって、前記第１の結像光学系の第１の結像光学素子と前記第２の結像光学系の第２の結像光学素子とが、主走査方向の少なくとも一方の端部において、互いに光軸方向の異なる位置にリブを備える第１、第２の結像光学系と、を有する。【選択図】図１
2015087506.tif 000002
【特許請求の範囲】
【請求項１】
第１、第２の光源手段から出射する第１、第２の光束を主走査方向に偏向する偏向手段と、
前記偏向手段により偏向された前記第１、第２の光束を第１、第２の被走査面に導光する第１、第２の結像光学系と、を備える光走査装置であって、
前記第１、第２の結像光学系の夫々は、主走査方向の少なくとも一方の端部において、互いに光軸方向の異なる位置にリブを備える第１、第２の結像光学素子を有することを特徴とする光走査装置。
【請求項２】
前記第１、第２の結像光学系は、前記偏向手段を挟んで互いに対向し、前記偏向手段の異なる偏向面で偏向される前記第１、第２の光束を前記第１、第２の被走査面に導光することを特徴とする請求項１に記載の光走査装置。
【請求項３】
前記第１の結像光学系と同じ偏向面に係る第３の結像光学系においても前記第１の結像光学素子を備え、かつ、前記第２の結像光学系と同じ偏向面に係る第４の結像光学系においても前記第２の結像光学素子を備えることを特徴とする請求項２に記載の光走査装置。
【請求項４】
前記第１の結像光学系における反射面の数が奇数、前記第３の結像光学系における反射面の数が偶数であり、かつ前記第２の結像光学系における反射面の数が偶数、前記第４の結像光学系における反射面の数が奇数であることを特徴とする請求項３に記載の光走査装置。
【請求項５】
前記第１、第２の結像光学系は、前記偏向手段の同一の偏向面で偏向される前記第１、第２の光束を前記第１、第２の被走査面に導光することを特徴とする請求項１に記載の光走査装置。
【請求項６】
前記第１の結像光学系と異なる偏向面に係る第３の結像光学系においても前記第１の結像光学素子を備え、かつ、前記異なる偏向面に係る第４の結像光学系においても前記第２の結像光学素子を備えることを特徴とする請求項５に記載の光走査装置。
【請求項７】
前記第１の結像光学系における反射面の数が奇数、前記第２の結像光学系における反射面の数も奇数であることを特徴とする請求項５または６に記載の光走査装置。
【請求項８】
前記第１、第２の結像光学素子は、外形中心に対して副走査方向に非対称なレンズであることを特徴とする請求項１乃至７のいずれか１項に記載の光走査装置。
【請求項９】
前記第１、第２の結像光学素子は、副走査方向の形状が非対称形状であって、かつ主走査方向への変化の仕方が非対称であることを特徴とする請求項１乃至７のいずれか１項に記載の光走査装置。
【請求項１０】
前記第１、第２の結像光学素子は、副走査方向の上端部と下端部の両方に副走査方向の位置決め基準を有することを特徴とする請求項１乃至９のいずれか１項に記載の光走査装置。
【請求項１１】
前記第１、第２の結像光学素子は、前記偏向手段により偏向される前記第１、第２の光束を共に通過させる共通の結像光学素子を更に有することを特徴とする請求項１乃至１０のいずれか１項に記載の光走査装置。
【請求項１２】
前記第１、第２の結像光学素子は、主走査方向の同じ側の端部に前記リブを有することを特徴とする請求項１乃至１１のいずれか１項に記載の光走査装置。
【請求項１３】
前記第１、第２の結像光学素子は、主走査方向で前記リブを備える端部と反対側の端部にゲートを有することを特徴とする請求項１乃至１２のいずれか１項に記載の光走査装置。
【請求項１４】
前記リブの光軸方向の厚みは、前記ゲートの光軸方向の厚みよりも薄いことを特徴とする請求項１３に記載の光走査装置。
【請求項１５】
前記リブの副走査方向の厚みは、前記ゲートの副走査方向の厚みよりも薄いことを特徴とする請求項１３または１４に記載の光走査装置。
【請求項１６】
前記リブの光軸方向の位置は、前記ゲートの光軸方向の位置と互いに異なることを特徴とする請求項１３乃至１５のいずれか１項に記載の光走査装置。
【請求項１７】
光軸方向の異なる位置に設けられる前記リブは、互いに異なる形状であることを特徴とする請求項１乃至１６のいずれか１項に記載の光走査装置。
【請求項１８】
請求項１乃至１７のいずれか１項に記載の光走査装置と、前記光走査装置で走査された光束によって感光体上に形成された静電潜像をトナー像として現像する現像器と、現像されたトナー像を被転写材に転写する転写器と、転写されたトナー像を被転写材に定着させる定着器と、を有することを特徴とする画像形成装置。
【請求項１９】
請求項１乃至１７のいずれか１項に記載の光走査装置と、外部機器から入力したコードデータを画像信号に変換して前記光走査装置に入力せしめるプリンタコントローラと、を有していることを特徴とする画像形成装置。   
【請求項２０】
前記第１、第２の被走査面に、互いに異なった色の画像が形成されることを特徴とする請求項１８または１９に記載の画像形成装置。
【発明の詳細な説明】
【技術分野】
【０００１】
本発明は光走査装置及びそれを用いた画像形成装置に関し、電子写真プロセスを有するレーザビームプリンタやデジタル複写機やマルチファンクションプリンタ等の画像形成装置に好適なものである。
【背景技術】
【０００２】
近年、カラー画像形成装置のコンパクト化のため、単一の偏向手段で偏向された複数の光束をそれぞれ異なる複数の被走査面へ導き走査させるタイプの光走査装置が多用されている。このような光走査装置では、偏向手段の偏向反射面の回転軸に垂直な面に対して光束を副走査方向に斜め方向から入射させている。そして、偏向器にて反射された複数の光束を複数の光路折り曲げミラーにより各々の光路を折り返し、光路中の結像レンズにより各被走査面へ導光させる構成が用いられる。
【０００３】
従来、このような光走査装置においては、光束が結像レンズの外形中心を通過しておらず結像レンズが必要以上に大きかった。そのため、結像レンズや光路折り曲げミラーと各光束の光路とが干渉しないように各光学部品を配置すると、光走査装置自体が大きくなり、その結果、画像形成装置も大きくなってしまい、更なるコンパクト化が困難であった。
【０００４】
そのため、光束が結像レンズの外形中心を通るように結像レンズの不要な部分を削除し、結像レンズのサイズを小さくすることで、光走査装置の更なるコンパクト化を達成し、結果、画像形成装置のコンパクト化を達成するものが知られている（特許文献１）。ここで、特許文献１のように結像レンズの不要な部分を削除すると、結像レンズは副走査方向に非対称な形状となり、主走査方向のレンズの形状も考慮すると、装置を構成する結像レンズが1種類とはならず２種類必要になる。そのため、２種類の結像レンズを判別可能とするように、２種類の結像レンズの各々の側面に、副走査方向の異なる位置にリブを形成することが知られる。
【０００５】
ここで、特許文献１では、全ての結像レンズに関し、全ての結像レンズが正しい姿勢で組み付けられた時には、結像レンズの種類によらず、必ず全てのリブが副走査方向で上側となる。したがって、結像レンズが正しい姿勢で組み付けられているかどうか（リブが副走査方向で本来あるべき上側あるいは下側に配置されているか否か）を、容易に判別できるようになっている。
【先行技術文献】
【特許文献】
【０００６】
【特許文献１】特開２０１０−２６０５５号公報
【発明の概要】
【発明が解決しようとする課題】
【０００７】
しかしながら、特許文献１のリブの配置では、光路の折り返し方によっては２種類の結像レンズの判別が困難となるという課題が存在している。これを図１６を用いて概念的に説明する。図１６は、各結像レンズ９Ａ、９Ｂ、９Ｃ、９Ｄに対し光が入射する入射面を表した図で、水平方向が主走査方向、上下方向が副走査方向、一点鎖線で区切られる狭い領域が偏心レンズとして削除される領域である。一点鎖線で区切られる狭い領域は、光路の折り返し方によって異なるもので、副走査方向で結像レンズが基準面（偏向手段を副走査方向に二等分する平面）の上側に配置されるか下側に配置されるかで異なる。なお、黒、白の小さな四角はリブを示している。
【０００８】
図１６（ａ）のように副走査方向でリブが全て上側に配置される場合（特許文献１における配置に相当）は、上側より副走査方向に位置が異なるリブを視認することで、２種類の結像レンズの判別が容易である。しかしながら、図１６（ｂ）のように副走査方向でリブが上側に配置される結像レンズと、下側に配置される結像レンズが混在する場合は、全てのリブが副走査方向で上側とはならない。そのため、結像レンズが正しい姿勢で組み付けられているかどうか（リブが副走査方向で本来あるべき上側あるいは下側に配置されているか否か）を判別することが困難となる。
【０００９】
本発明の目的は、光路の折り曲げ方に依らず、２種類の結像レンズを容易に判別できる光走査装置及びそれを用いた画像形成装置を提供することにある。
【課題を解決するための手段】
【００１０】
上記目的を達成するため、本発明に係る光走査装置は、第１、第２の光源手段から出射される第１、第２の光束を偏向する偏向手段と、前記偏向手段により偏向される前記第１、第２の光束を第１、第２の被走査面に導光する第１、第２の結像光学系であって、前記第１の結像光学系の第１の結像光学素子と前記第２の結像光学系の第２の結像光学素子とが、主走査方向の少なくとも一方の端部において、互いに光軸方向の異なる位置にリブを備える第１、第２の結像光学系と、を有することを特徴とする。
【発明の効果】
【００１１】
本発明によれば、光路の折り曲げ方に依らず、２種類の結像レンズを容易に判別できる。
【図面の簡単な説明】
【００１２】
【図１】本発明の第１の実施形態に係る光走査装置における結像光学系の結像光学素子（結像レンズ）の三面図である。
【図２】第１の実施形態に係る結像光学系の副走査方向の要部断面図である。
【図３】第１の実施形態に係る光走査装置の入射光学系の副走査方向の要部断面図である。
【図４】第１の実施形態に係る結像レンズの側面図である。
【図５】第１の実施形態に係る結像レンズを組み付けた時の要部拡大図である。
【図６】本発明の実施形態に係る光走査装置を搭載した画像形成装置の要部概略図である。
【図７】本発明の第２の実施形態に係る結像レンズの三面図である。
【図８】第２の実施形態に係る結像レンズの側面図である。
【図９】第２の実施形態に係る結像レンズを組み付けた時の要部拡大図である。
【図１０】第３の実施形態に係る光走査装置の副走査方向の要部断面図である。
【図１１】比較例としての従来の結像レンズを光軸方向から見た図である。
【図１２】比較例としての従来の結像レンズを側面から見た図である。
【図１３】比較例としての従来の結像レンズを組み付けた時の側面図である。
【図１４】比較例としての従来の結像レンズを副走査方向下側に組み付けた時の側面図である。
【図１５】比較例としての従来の結像レンズを副走査方向下側に別の形態で組み付けた時の側面図である。
【図１６】各結像レンズに対し光が入射する入射面を表した図である。
【発明を実施するための形態】
【００１３】
以下に、本発明の好ましい実施の形態を、添付の図面に基づいて詳細に説明する。
【００１４】
《第１の実施形態》
（画像形成装置）
図６は、本発明の実施形態に係る光走査装置を搭載した画像形成装置としてカラー画像形成装置の要部概略図である。この画像形成装置は、光走査装置により４ビームを走査して各々並行して像担持体である感光体上に画像情報を記録するタンデムタイプのカラー画像形成装置である。図６において、６０はカラー画像形成装置、１００は後述する光走査装置である。２１、２２、２３、２４は各々互いに異なった色の画像を形成する像担持体（感光体）としての感光ドラム、３１、３２、３３、３４は各々現像器、５１は搬送ベルトである。
【００１５】
なお、図６においては、感光体の感光面上に形成された静電潜像をトナー像として現像する現像器（不図示）、現像器で現像されたトナー像を被転写材（記録材）に転写する転写器（不図示）と、転写されたトナー像を被転写材に定着させる定着器とを有している。
【００１６】
図６において、カラー画像形成装置６０には、パーソナルコンピュータ等の外部機器５２からＲ（レッド）、Ｇ（グリーン）、Ｂ（ブルー）のコードデータとして各色信号が入力する。これらの色信号は、装置内のプリンタコントローラ５３によって、ブラック（Ｂｋ）、シアン（Ｃ）、マゼンダ（Ｍ）、イエロー（Ｙ）の各画像データ（ドットデータ）に変換される。これらの画像データは、光走査装置１００に入力される。
【００１７】
そして、光走査装置１００からは、各画像データに応じて変調された光ビーム４１、４２、４３、４４が出射され、これらの光ビームによって感光ドラム２１、２２、２３、２４の感光面（第１乃至第４の被走査面）が主走査方向に走査される。
【００１８】
本実施形態におけるカラー画像形成装置は光走査装置１００により４ビームを走査し、各々がブラック（Ｂｋ）、シアン（Ｃ）、マゼンダ（Ｍ）、イエロー（Ｙ）の各色に対応している。そして、各々平行して感光ドラム２１、２２、２３、２４面上に画像信号（画像情報）を記録し、カラー画像を高速に印字している。
【００１９】
本実施形態におけるカラー画像形成装置は、上述の如く光走査装置１００により各々の画像データに基づいた光ビームを用いて、各色の潜像を各々対応する感光ドラム２１、２２、２３、２４面上に形成している。その後、記録材に多重転写して１枚のフルカラー画像を形成している。
【００２０】
外部機器５２としては、例えばＣＣＤセンサを備えたカラー画像読取装置が用いられても良い。この場合には、このカラー画像読取装置と、カラー画像形成装置６０とで、カラーデジタル複写機が構成される。
【００２１】
（光走査装置）
図２は、本発明の第１の実施形態に係る光走査装置の副走査方向の要部断面図（副走査断面図）である。また、図３は入射光学系の副走査方向の要部断面図（副走査断面図）である。図２で、被走査面１０Ａ、１０Ｂ、１０Ｃ、１０Ｄは、順にブラック（Ｂｋ）、シアン（Ｃ）、マゼンダ（Ｍ）、イエロー（Ｙ）色の画像を形成するための感光ドラム（感光ドラム面）であり、４色のカラー画像を形成するための光走査装置となっている。
【００２２】
１）定義
以下の説明において、主走査方向（Ｙ方向）とは偏向手段の偏向軸（回転軸または揺動軸）及び結像光学系の光軸に垂直な方向（回転多面鏡で光束が反射偏向（偏向走査）される方向）である。副走査方向（Ｚ方向）とは偏向手段の偏向軸（回転軸または揺動軸）と平行な方向である。また、主走査断面とは主走査方向と結像光学系の光軸方向（Ｘ方向）を含む平面である。また、副走査断面（子線断面）とは主走査方向に垂直な断面である。また、基準面とは、偏向手段（回転多面鏡）の偏向軸（回転軸または揺動軸）に直交し偏向手段を副走査方向に二等分する面である。
【００２３】
２）入射光学系および偏向手段
図３は、本実施形態に係る光走査装置の光源手段から偏向手段に至るまでの入射光学系の副走査方向の要部断面図（副走査断面図）である。但し、図３は図２において偏向手段としての回転多面鏡の右側の結像光学系に対する入射光学系のみを図示している。
【００２４】
図３において、光源手段１Ａ、１Ｂから射出された２本の光束は、コリメータレンズ２Ａ、２Ｂにより略平行光束に変換された後、シリンドリカルレンズ３Ａ、３Ｂに入射し、副走査方向にのみ屈折される。その後、光束は第１の開口絞り４Ａ、４Ｂにより副走査方向の光束幅を制限される。その後、第２の開口絞り５Ａ、５Ｂにより主走査方向の光束幅を制限され、偏向手段である回転多面鏡６の偏向面６１の近傍に副走査方向にのみ集光されて、主走査方向に長い線像として結像される。
【００２５】
コリメータレンズ２Ａ、２Ｂと、シリンドリカルレンズ３Ａ、３Ｂと、第１の開口絞り４Ａ、４Ｂと、第２の開口絞り５Ａ、５Ｂと、が入射光学系ＬＡ、ＬＢの一要素を夫々構成する。なお、本実施形態においては、コリメータレンズ２Ａ、２Ｂにより略平行光束に変換したが、コリメータレンズ２Ａ、２Ｂの代わりに光束の発散性を弱めた発散光束及び収束光束に変換する光学素子を用いても良い。また、２枚のレンズに限らず主走査方向と副走査方向で異なるパワーを有するアナモフィックな１つの結像光学素子（結像レンズ）により構成しても良い。
【００２６】
入射光学系ＬＡ、ＬＢは、その光軸が回転多面鏡５の回転軸に垂直な面に対して副走査方向に傾いており、光源手段１Ａ、１Ｂから射出された光束を回転多面鏡５の回転軸に垂直な面に対して副走査方向に所定の角度（本実施形態では各々３°）で斜入射させている。
【００２７】
３）結像光学系
図２で、入射光学系ＬＡを経て回転多面鏡５により反射偏向された光束ＲＡは、結像光学系ＳＡ（第１の結像光学系）の結像光学素子としての結像レンズ８Ａ及び結像レンズ９Ａにより、感光ドラム面１０Ａ上に導光され、光スポットとして結像される。そして、回転多面鏡６が回転することにより、感光ドラム面１０Ａ上を光スポットが走査し、静電潜像を形成する。
【００２８】
入射光学系ＬＢを経て、回転多面鏡６により反射偏向された光束ＲＢは、結像光学系ＳＢ（第３の結像光学系）の結像光学素子としての結像レンズ８Ａ及び結像レンズ９Ｂにより、感光ドラム面１０Ｂ上に導光され、光スポットとして結像される。そして、回転多面鏡６が回転することにより、感光ドラム面１０Ｂ上を光スポットが走査し、静電潜像を形成する。
【００２９】
ここで、結像レンズ９Ａに関しては、副走査方向で下方側を不要な部分として削除する偏心レンズ（外形中心に対して副走査方向に非対称なレンズ）となっている（図１６（ｂ））。そして、結像光学系ＳＡでは、光路を折り曲げる折り曲げミラーが奇数枚（１枚）、即ち反射面の数が奇数枚（１枚）用いられる。一方、結像レンズ９Ｂに関しては、後述するように結像レンズ９Ａと同一の形状を備える偏心レンズとなっている。そして、結像光学系ＳＢでは、光路を折り曲げる折り曲げミラーが偶数枚（２枚）、即ち反射面の数が偶数枚（２枚）用いられる。
【００３０】
結像光学系ＳＡ、ＳＢに対し回転多面鏡６を挟んで対向する図２の左側の結像光学系ＳＤ、ＳＣに関しても、回転多面鏡６に至るまでの光路に同様の入射光学系が配置されている。光束ＲＣに対しては入射光学系ＬＢ、光束ＲＤに対しては入射光学系ＬＡが対応する。
【００３１】
入射光学系を経て回転多面鏡６により反射偏向された光束ＲＣは、結像光学系ＳＣ（第２の結像光学系）の結像光学素子としての結像レンズ８Ｂ及び結像レンズ９Ｃにより、感光ドラム面１０Ｃ上に導光され、光スポットとして結像される。そして、回転多面鏡６が回転することにより、感光ドラム面１０Ｃ上を光スポットが走査し、静電潜像を形成する。
【００３２】
入射光学系を経て回転多面鏡６により反射偏向された光束ＲＤは、結像光学系ＳＤ（第４の結像光学系）の結像光学素子としての結像レンズ８Ｂ及び結像レンズ９Ｄにより、感光ドラム面１０Ｄ上にに導光され、光スポットとして結像される。そして、回転多面鏡５が回転することにより、感光ドラム面１０Ｄ上を光スポットが走査し、静電潜像を形成する。
【００３３】
ここで、結像レンズ９Ｄに関しては、副走査方向で下方側を不要な部分として削除する偏心レンズとなっている（図１６（ｂ））。そして、結像光学系ＳＤでは、光路を折り曲げる折り曲げミラーが奇数枚（１枚）、即ち反射面の数が奇数枚（１枚）用いられる。一方、結像レンズ９Ｃに関しては、後述するように結像レンズ９Ｄと同一の形状を備える偏心レンズとなっている。そして、結像光学系ＳＣは、光路を折り曲げる折り曲げミラーが偶数枚（２枚）、即ち反射面の数が偶数枚（２枚）用いられる。
【００３４】
結像レンズ９Ａ、９Ｂ、９Ｃ、９Ｄは、主走査方向の位置に応じて副走査方向のレンズ面のチルト角が変化するチルト変化面を有しており、レンズの外形中心とレンズ光軸が一致しておらず、レンズの外形中心に対して副走査方向に非対称な形状となっている。但し、ここで、光軸は、結像レンズ９Ａ、９Ｂ、９Ｃ、９Ｄの主走査方向中央部での副走査断面において、入射面および出射面を円弧でフィッティングした時に最も突出しているまたは最も凹んでいる部分を結んだ直線と定義している。
【００３５】
従って、主走査方向の形状を考慮すると、結像レンズ９Ａ、９Ｄは同一のレンズとならず異なるレンズ（２種類のレンズ）となる。結像レンズ９Ｂ、９Ｃも結像レンズ９Ａ、９Ｄと同様に異なるレンズとなる。
【００３６】
一方、結像レンズ９Ａ、９Ｂを比較すると、一見異なるレンズのように思える。しかしながら、結像レンズ９Ｂは光路折り曲げミラーＭ２により反射された後に光束ＲＢが通過するため、結像レンズ９Ａを主走査方向を回転軸として回転して配置したレンズとなっている（図１６（ｂ））。従って、結像レンズ９Ａと９Ｂは組み付ける姿勢が異なっているだけであり、レンズとしては同一のレンズである。結像レンズ９Ｄ、９Ｃについても同様であり、結像レンズ９Ｄを主走査方向を回転中心として回転し組み付けたのが結像レンズ９Ｃであり、組み付ける姿勢が異なっているだけであり、レンズとしては同一のレンズである。
【００３７】
これより、各光束ＲＡ，ＲＢ，ＲＣ、ＲＤについて個別に配置されている結像レンズ９Ａ、９Ｂ、９Ｃ、９Ｄは、全体として２種類のレンズから成っていることが分かる。
【００３８】
ここで、光束ＲＡ、ＲＢに対して共通に配置されている結像レンズ８Ａおよび光束ＲＣ、ＲＤに対して共通に配置されている結像レンズ８Ｂは、外形中心と光軸とが一致したレンズであり、副走査方向について対称形状となっている。従って、結像レンズ８Ａを主走査方向を回転軸として１８０°回転して配置したものが結像レンズ８Ｂであり、両者に関しては同一のレンズである。
【００３９】
このように、本実施形態の結像光学系は、回転多面鏡６の同一の偏向面により反射偏向された光束ＲＡ、ＲＢ、および光束ＲＣ、ＲＤが共通に通過する１種類の結像レンズ８Ａ（８Ｂ）を備える。また、各光束ＲＡ、ＲＢ、ＲＣ、ＲＤに対して個別に配置された２種類の結像レンズ９Ａ（９Ｂ）と９Ｃ（９Ｄ）とを備える。即ち、本実施形態の結像光学系におけるレンズは、全体として３種類の結像レンズから構成されている。
【００４０】
ここで、２種類の結像レンズ９Ａ（９Ｂ）と９Ｃ（９Ｄ）は、副走査方向に同一形状で主走査方向に異なる形状であっても良いし、２種類の結像光学素子（結像レンズ）が主走査方向に同一形状で副走査方向に異なる形状であっても良い。主走査方向の形状もしくは副走査方向の形状が異なっているため、結像レンズ９Ａ（９Ｂ）として誤って、結像レンズ９Ｃ（９Ｄ）を組み付けてしまうと、所望の光学性能を得られなくなってしまう。しかしながら、両者のレンズ面の形状の差を目視で見分けるのは非常に困難であるため、誤って組まれないように２種類のレンズを容易に判別できるようにしておく必要がある。
【００４１】
本実施形態における結像レンズ９Ａ（９Ｂ）および９Ｃ（９Ｄ）の形状を、図１に示す。図１では、各結像レンズを副走査方向上側、出射面側、側面側（主走査方向の端部側でゲートＧが配置されている側とは反対側）から各々見た時の形状が示されている。
【００４２】
ここで、結像レンズ９Ａ、９Ｂには、結像レンズ９Ａとして組み付ける時の副走査方向の位置決めに使用されるＺ基準であるＺ１Ａ、Ｚ２Ａと、結像レンズ９Ｂとして組み付ける時のＺ基準Ｚ１Ｂ、Ｚ２Ｂと、が副走査方向の側面にそれぞれ設けられている。即ち、結像レンズ９Ａ、９Ｂは、それぞれ副走査方向の上端部と下端部の両方に副走査方向の位置決め基準を有する。
【００４３】
そして、入射面側の主走査方向端部には光軸方向の位置決めに使用されるＸ基準Ｘ１Ａ、Ｘ２Ａが設けられている。また、主走査方向でゲートＧと反対側の側面にはリブＴ１と、主走査方向の位置決めに使用されるＹ基準面Ｙ１と、が設けられている。
【００４４】
また、結像レンズ９Ｃ、９Ｄは、結像レンズ９Ｃとして組み付ける時の副走査方向の位置決めに使用されるＺ基準であるＺ１Ｃ、Ｚ２Ｃと、結像レンズ９Ｄとして組み付ける時のＺ基準であるＺ１Ｄ、Ｚ２Ｄと、が副走査方向の側面にそれぞれ設けられている。即ち、結像レンズ９Ｃ、９Ｄは、それぞれ副走査方向の上端部と下端部の両方に副走査方向の位置決め基準を有する。
【００４５】
そして、入射面側の主走査方向端部には光軸方向の位置決めに使用されるＸ基準Ｘ１Ｂ、Ｘ２Ｂが設けられている。また、主走査方向でゲートＧと反対側の側面にはリブＴ２と、主走査方向の位置決めに使用されるＹ基準面Ｙ２と、が設けられている。
【００４６】
ここで、図１に示すように、２種類の結像レンズに設けられたリブＴ１、Ｔ２は各々光軸方向の異なる位置に設けられている。即ち、結像レンズ９Ａ（９Ｂ）のリブＴ１は入射面側に設けられている一方、結像レンズ９Ｃ（９Ｄ）のリブＴ２は出射面側に設けられている。そして、結像レンズ９Ａ、９Ｂ、９Ｃ、９Ｄの各Ｚ基準を下側にした時のリブＴ１、Ｔ２の位置関係を、図４に示す。図４では、各リブは副走査方向の高さ位置が同一とされている（特に、主走査方向を回転中心として回転しても元の高さと同じ高さとなるように設定されている）。
【００４７】
従来例では、誤ってリブが副走査方向上下に入れ替わって組立てられた場合に、リブの視認が困難なことから組立ての誤りを認識することが困難である。これに対し、本実施形態では結像レンズ９Ａ（９Ｂ）に対しては常に入射面側にリブＴ１、結像レンズ９Ｃ（９Ｄ）については常に出射面側にリブＴ２が位置すべきことの視認が容易なことから組立ての誤りを認識することが容易となる。即ち、リブが入射面側にあるか、出射面側にあるかによって、レンズの組み付け姿勢によらず常に２種類の結像レンズの判別が可能である。
【００４８】
次に、図５に本実施形態の２種類の結像レンズを筐体に組み付けた時の要部概略図を示す。なお、図５では、リブが設けられている側のみを図示している。図５に示すように、結像レンズ９Ａを主走査方向を回転中心として回転させたものが結像レンズ９Ｂであり、結像レンズ９Ｄを主走査方向を回転中心として回転させたものが結像レンズ９Ｃである。即ち、同一形状の結像レンズ９Ａ、９Ｂが１種類、同一形状の結像レンズ９Ｄ、９Ｃが１種類で、全体として２種類の結像光学素子（結像レンズ）を備える。
【００４９】
なお、図５の結像レンズ９Ａに関しては、左側が入射面側、右側が出射面側であり、結像レンズ９Ｂに関しては、右側が入射面側、左側が出射面側である。
【００５０】
ここで、図５に示すように、結像レンズ９Ａは、レンズを受けるレンズ受部ＳＡにレンズ側に備わるＺ基準であるＺ１Ａ（凸部）を突き当てることで、副走査方向の位置決めをしている。また、レンズを受けるレンズ受部ＳＡは、立壁部ＳＡ１および側壁部ＳＡ２を有しており、立壁部ＳＡ１にレンズに設けられる入射面側のＸ基準Ｘ１Ａを突き当てることで光軸方向の位置決めをしている。更に、レンズを受けるレンズ受部ＳＡの側壁部ＳＡ２には、半円柱状のＹ基準ＹＡが結像レンズ９Ａ側の面に設けられており、そこに結像レンズ９ＡのＹ基準面Ｙ１を突き当てることで、主走査方向の位置決めをしている。
【００５１】
ここで、側壁部ＳＡ２は、入射面側に設けられたリブＴ１を避けるように切り欠きが設けられている。そのため、出射面側にリブＴ２を有する結像レンズ９Ｃ（９Ｄ）では、側壁部ＳＡ２にリブＴ２がぶつかるため、誤って結像レンズ９Ｃ（９Ｄ）を組み込む心配はない。
【００５２】
さらに、図１から分かるようにリブＴ１の副走査方向の厚みは、ゲートＧの副走査方向の厚みよりも薄くなっている。したがって、結像レンズ９Ａを主走査方向に反転して、本来ゲートＧがあるべき側にリブＴ１、リブＴ１があるべき側にゲートＧが来るような姿勢で組み付けようとすると、ゲートＧと側壁部ＳＡ１がぶつかるため、組み付けられないようになっている。これらの構成については、結像レンズ９Ｂについても同様である。
【００５３】
なお、図５の結像レンズ９Ｂについては、結像レンズ９Ａと同様である。
【００５４】
また、結像レンズ９Ｃは、レンズを受けるレンズ受部ＳＣ（図５）にレンズに設けられるＺ基準であるＺ１Ｃ（凸部）を突き当てることで、副走査方向の位置決めをしている。また、レンズ受部ＳＣは、立壁部ＳＣ１および側壁部ＳＣ２を有しており、立壁部ＳＣ１に入射面側のＸ基準であるＸ１Ｂを突き当てることで、光軸方向の位置決めをしている。更に、レンズを受ける側壁部ＳＣ２には、半円柱状のＹ基準ＹＣが結像レンズ９Ｃ側の面に設けられており、そこに結像レンズ９ＣのＹ基準面Ｙ２を突き当てることで、主走査方向の位置決めをしている。
【００５５】
図５の結像レンズ９Ｃについては、レンズを受けるレンズ受部ＳＣにレンズに設けられるＺ基準であるＺ１Ｃ（凸部）を突き当てることで副走査方向の位置決めをしている。レンズ受部ＳＣは、立壁部ＳＣ１および側壁部ＳＣ２を有しており、立壁部ＳＣ１にＸ基準であるＸ１Ｂを突き当てることで光軸方向の位置決めをしている。また、レンズを受けるレンズ受部ＳＣの側壁部ＳＣ２には、半円柱状のＹ基準ＹＣが結像レンズ９Ｃ側の面に設けられており、そこに結像レンズ９ＣのＹ基準面Ｙ２を突き当てることで主走査方向の位置決めをしている。
【００５６】
ここで、結像レンズ９Ｃに用いられる側壁部ＳＣ２は、出射面側に設けられたリブＴ２を避けるようにＬ字形状をしている。そのため、入射面側にリブＴ１を有する結像レンズ９Ａ（９Ｂ）では、側壁部ＳＣ１にリブＴ１がぶつかるため、誤って結像レンズ９Ａ（９Ｂ）を組み込む心配はない。
【００５７】
さらに、図１から分かるように、ゲートＧは入射面側に設けられている。したがって、結像レンズ９Ｃを主走査方向に反転して、本来ゲートＧがあるべき側にリブＴ２、リブＴ２があるべき側にゲートＧが来るような姿勢で組み付けようとすると、ゲートＧと側壁部ＳＣ２がぶつかるため、組み付けられないようになっている。これらの構成については、結像レンズ９Ｄについても同様である。
【００５８】
（比較例との対比）
ここで、２種類の結像レンズに関し、本実施形態のようにリブを光軸方向の異なる位置に設けるのではなく、リブを副走査方向の異なる位置に設ける従来例を比較例として、本実施形態と対比することにより、本実施形態の効果を述べる。なお、結像光学系の副走査方向の要部断面は、図２と同様とする。
【００５９】
この比較例においては、結像レンズに関し、正しい姿勢で組み付けた際、副走査方向であるリブは上側、別のリブは下側となる（図１１、図１２、図１６（ｂ））。そのため、結像レンズが正しい姿勢で組み付けられているかどうか（リブが副走査方向で本来あるべき上側あるいは下側に配置されているか否か）を判別することが困難となる。
【００６０】
そこで、同一の結像レンズを回転させて組み付ける時でも、常に副走査方向上側のリブとなるＺ基準しか用いない場合を考える。即ち、図１３で結像レンズ９Ａ（９Ｂ）はＺ基準としてＺ１Ａ、Ｚ２Ａのみ、結像レンズ９Ｃ（９Ｄ）はＺ基準としてＺ１Ｄ、Ｚ２Ｄのみを用いる。この場合、結像レンズ９Ａ、９Ｄを組み付けた時のリブがある側の側面図である図１３に示すように、Ｚ基準であるＺ１Ａはレンズ受部ＳＡ、Ｚ基準であるＺ１Ｄはレンズ受部ＳＤにより副走査方向の位置を決めている。
【００６１】
ここで、図１３のＸ１Ａ、Ｘ１Ｄは各々結像レンズ９Ａ、９Ｄの光軸方向の基準（Ｘ基準）であり、レンズ受部ＳＡ、ＳＤの立壁部ＳＡ１およびＳＤ１に突き当てることで結像レンズの光軸方向の位置決めをしている。また、Ｙ１、Ｙ２は結像レンズ９Ａ、９Ｄの主走査方向の基準面であり、レンズ受部ＳＡ、ＳＤの側壁部ＳＡ２、ＳＤ２の結像レンズ側の面に形成された基準（不図示）に突き当てることで主走査方向の位置決めをしている。
【００６２】
結像レンズ９Ａ、９Ｂに関しては、共に筐体の上側から組み付けることが可能であり難点が無いが、結像レンズ９Ｃに関して以下に示すように好ましくない事情が存在する（図１４、図１５）。
【００６３】
図１４は、結像レンズ９Ｃ（９Ｄ）を組み付けた時のリブがある側の側面図を示す。結像レンズ９Ｃ、９Ｄは同じレンズを回転させただけであるため、同一部分には同一符号を附してある。また、図１３と同一符号を附した部分について、その構成や機能は同一である。結像レンズ９Ｃ（９Ｄ）に対し、Ｚ基準としてＺ１Ｄ、Ｚ２Ｄのみを用いる前提では、
結像レンズ９Ｃを筐体に組み付けるには、筐体の下側から組み付けなければならない。
【００６４】
しかし、結像レンズ９Ｃを下側から押さえつけて固定するのは、結像レンズ９Ｃの組み付け精度が劣化するため、結像レンズ９Ｄを固定した後、筐体を裏返して結像レンズ９Ｃを組み付ける必要がある。これは、組み立ての工数が増えコストアップにつながるため、好ましくない。また、筐体も上下両方から結像レンズを組み付け可能な開口部を設けなければならないため、筐体の形状が複雑になる。結像レンズ９Ｃに関して上述した状況は、結像レンズ９Ｂに対しても同様に当てはまる。
【００６５】
ここで、図１４において結像レンズ９Ｃのレンズ受部ＳＣの側壁部ＳＣ２の高さを結像レンズ９Ｃの底面まで下げると、結像レンズ９ＣをＺ基準Ｚ１Ｃ、Ｚ２Ｃを用いて組み付けることが可能である。しかしながら、この場合は、図１１に示すゲートＧが側壁部にぶつからなくなるため、光軸周りに回転した状態で結像レンズが組み付けられる可能性があるため好ましくない。
【００６６】
そこで、結像レンズ９Ｃが光軸周りに回転した状態で組み付けられる心配がなく、かつ結像レンズ９ＣをＺ基準Ｚ１Ｃ、Ｚ２Ｃを用いて組み付け可能とした場合の側壁部ＳＣ２の形状を図１５に示す。図１５の側壁部ＳＣ２の形状では、ゲートＧは側壁部ＳＣ２にぶつかるため、結像レンズ９Ｃが光軸周りに回転した状態で組み付けられる心配はない。一方、側壁部ＳＣ２にリブＴ２がぶつからないよう組み付けるためには、主走査方向または光軸方向から結像レンズ９Ｃをスライドさせる必要がある。
【００６７】
しかしながら、組み付け作業が煩雑になることに加え、光走査装置のコンパクト化のためには余分なスペースは少ない方が良く、作業性確保のためにスペースを確保することは光走査装置の大型化につながるため好ましくない。
【００６８】
（本実施形態の効果）
以上のように、本実施形態では、２種類の結像レンズの各々についてゲートがある側と反対側の主走査方向の側面（主走査方向の同じ側の端部）に、互いに光軸方向の異なる位置にリブを設ける。これにより、光路折り曲げミラーによる光路の折り返し方に関係なく、２種類のレンズの判別を可能にし、取り違えて組み込まれることを防止することが可能となる。
【００６９】
更には、リブの副走査方向の厚みをゲートの副走査方向の厚みよりも薄くすることで、リブとゲートの判別を可能とし、結像レンズが主走査方向に反転した状態で組み込まれることを防止することが可能となる。
【００７０】
《第２の実施形態》
次に本発明の第２の実施形態について、図７を用いて説明する。本実施形態では、結像レンズ９Ａ（９Ｂ）および９Ｃ（９Ｄ）のＸ基準の設け方、リブの形状と筐体側のレンズ受部の形状が、第１の実施形態とは異なっている。本実施形態の光路の折り返し方や光学的作用については、第１の実施形態と同様である。また、対応する個所については、同符号を附している。
【００７１】
結像レンズ９Ａ、９Ｂには、結像レンズ９Ａとして組み付ける時の副走査方向の位置決めに使用されるＺ基準Ｚ１Ａ、Ｚ２Ａと、結像レンズ９Ｂとして組み付ける時のＺ基準Ｚ１Ｂ、Ｚ２Ｂとが、副走査方向の側面にそれぞれ設けられている。入射面側と出射面側の端部には、半円柱状の光軸方向の位置決めに使用されるＸ基準Ｘ１Ａ、Ｘ２Ａ、Ｘ３Ａ、Ｘ４Ａが設けられている。また、ゲートＧと反対側の側面には、リブＴ１、主走査方向の位置決めに使用されるＹ基準面Ｙ１が設けられている。
【００７２】
結像レンズ９Ｃ、９Ｄには、結像レンズ９Ｃとして組み付ける時の副走査方向の位置決めに使用されるＺ基準Ｚ１Ｃ、Ｚ２Ｃと、結像レンズ９Ｄとして組み付ける時のＺ基準Ｚ１Ｄ、Ｚ２Ｄとが、副走査方向の側面にそれぞれ設けられている。入射面側と出射面側の端部には、半円柱状の光軸方向の位置決めに使用されるＸ基準Ｘ１Ｂ、Ｘ２Ｂ、Ｘ３Ｂ、Ｘ４Ｂが設けられている。また、ゲートＧと反対側の側面には、リブＴ２、主走査方向の位置決めに使用されるＹ基準面Ｙ２が設けられている。
【００７３】
ここで、図７から分かるように、２種類の結像レンズに設けられたリブＴ１、Ｔ２は各々光軸方向の異なる位置に設けられている。また、リブＴ１およびＴ２が設けられている側面にはＹ基準面も設けられているため、入射面側をＹ基準面とし、Ｙ基準面を避けて出射面側にリブＴ２を設け、Ｙ基準面およびリブＴ２と異なる位置になるように光軸方向のほぼ中央にリブＴ１が設けられている。
【００７４】
次に、図８に結像レンズ９Ａ、９Ｂ、９Ｃ、９Ｄの各Ｚ基準を下側にした時のリブＴ１、Ｔ２の位置関係を示す。本実施形態では、結像レンズ９Ａ（９Ｂ）に対しては常に光軸方向ほぼ中央にリブＴ１が、結像レンズ９Ｃ（９Ｄ）については常に出射面側にリブＴ２が位置することが分かる。したがって、リブが光軸方向ほぼ中央にあるか、出射面側にあるかによってレンズの組み付け姿勢によらず、常に２種類の結像レンズの判別が可能である。
【００７５】
また、図９に本実施形態の２種類の結像レンズを筐体に組み付けた時の要部概略図を示す。なお、図９では、リブが設けられている側のみを図示している。図９に示すように、結像レンズ９Ａを主走査方向を回転中心として回転させたものが結像レンズ９Ｂであり、結像レンズ９Ｄを主走査方向を回転中心として回転させたものが結像レンズ９Ｃである。即ち、同一形状の結像レンズ９Ａ、９Ｂが１種類、同一形状の結像レンズ９Ｄ、９Ｃが１種類で、全体として２種類の結像光学素子（結像レンズ）を備える。
【００７６】
なお、図９の結像レンズ９Ａに関しては、左側が入射面側、右側が出射面側であり、結像レンズ９Ｂに関しては、右側が入射面側、左側が出射面側である。
【００７７】
ここで、図９に示すように、結像レンズ９Ａは、レンズを受けるレンズ受部ＳＡにレンズ側に備わるＺ基準であるＺ１Ａ（凸部）を突き当てることで、副走査方向の位置決めをしている。また、レンズを受けるレンズ受部ＳＡは、立壁部ＳＡ１および側壁部ＳＡ２を有しており、立壁部ＳＡ１にレンズに設けられる入射面側のＸ基準Ｘ１Ａを突き当てることで光軸方向の位置決めをしている。更に、レンズを受けるレンズ受部ＳＡの側壁部ＳＡ２には、半円柱状のＹ基準ＹＡが結像レンズ９Ａ側の面に設けられており、そこに結像レンズ９Ａの入射面側のＹ基準面Ｙ１を突き当てることで、主走査方向の位置決めをしている。
【００７８】
側壁部ＳＡ２は、立壁部ＳＡ１と一体となった部分と、リブＴ１を避けるように一定間隔を空けて設けられた部分とから成っている。ここで、結像レンズ９Ｃ（９Ｄ）は出射面側にリブＴ２を有するため、結像レンズ９Ａ（９Ｂ）の側壁部ＳＡ２に結像レンズ９Ｃ（９Ｄ）のリブＴ２がぶつかる関係となるため、誤って結像レンズ９Ｃ（９Ｄ）を組み込む心配はない。
【００７９】
ここで、図７から分かるように、リブＴ１の副走査方向の厚みはレンズの高さと同じであり、第１の実施形態と異なりゲートＧの副走査方向の厚みよりも厚くなっている。しかし、ゲートＧは入射面側にあり、リブＴ１は光軸方向ほぼ中央にある。従って、ゲートＧとリブＴ１の位置が光軸方向に異なっており、結像レンズ９Ａを主走査方向に反転して、本来ゲートＧがあるべき側にリブＴ１、リブＴ１があるべき側にゲートＧが来るような姿勢で組み付けようとすると、ゲートＧと側壁部ＳＡ１がぶつかる。このため、主走査方向に反転して組み付けられないようになっている。
【００８０】
なお、図９の結像レンズ９Ｂについては、レンズに設けられる出射面側のＸ基準であるＸ３Ａをレンズを受けるレンズ受部ＳＢの立壁部ＳＢ１に突き当てることで、光軸方向の位置決めをしている。その他の構成については、結像レンズ９Ａと同様である。
【００８１】
また、結像レンズ９Ｃは、レンズを受けるレンズ受部ＳＣ（図９）にレンズに設けられるＺ基準であるＺ１Ｃ（凸部）を突き当てることで、副走査方向の位置決めをしている。また、レンズ受部ＳＣは、立壁部ＳＣ１および側壁部ＳＣ２を有しており、立壁部ＳＣ１に出射面側のＸ基準であるＸ３Ｂを突き当てることで、光軸方向の位置決めをしている。更に、レンズを受ける側壁部ＳＣ２には、半円柱状のＹ基準ＹＣが結像レンズ９Ｃ側の面に設けられており、そこに結像レンズ９ＣのＹ基準面Ｙ２を突き当てることで、主走査方向の位置決めをしている。
【００８２】
図９の結像レンズ９Ｃについては、出射面側に設けられたリブＴ２を避けるように、立壁部ＳＣ１から一定間隔を空けて側壁部ＳＣ２が設けられている。そのため、光軸方向ほぼ中央にリブＴ１を有する結像レンズ９Ａ（９Ｂ）では、側壁部ＳＣ２にリブＴ１がぶつかる関係となるため、誤って結像レンズ９Ａ（９Ｂ）を組み込む心配はない。
【００８３】
さらに、図７から分かるように、ゲートＧは入射面側にある。従って、結像レンズ９Ｃを主走査方向に反転して、本来ゲートＧがあるべき側にリブＴ２、リブＴ２があるべき側にゲートＧが来るような姿勢で組み付けようとすると、ゲートＧと側壁部ＳＣ２がぶつかるため、組み付けられないようになっている。
【００８４】
また、図９の結像レンズ９Ｄについては、入射面側のＸ基準であるＸ１Ｂと立壁部ＳＤ１により、光軸方向の位置決めをしている。そして、リブＴ２は出射面側にあるため、側壁部ＳＤ２は立壁部ＳＤ１と一体となっており、リブＴ２とぶつからない位置まで壁が立っている。そのため、結像レンズ９Ａ（９Ｂ）のリブＴ１と結像レンズ９Ｄの側壁部ＳＤ２がぶつかる関係となるため、誤って結像レンズ９Ａ（９Ｂ）を組み込む心配はない。
【００８５】
また、ゲートＧは入射面側にあるため、結像レンズ９Ｄを主走査方向に反転して、本来ゲートＧがあるべき側にリブＴ２、リブＴ２があるべき側にゲートＧが来るような姿勢で組み付けようとすると、ゲートＧと側壁部ＳＣ２がぶつかる。このため、主走査方向に反転して組み付けられないようになっている。
【００８６】
（本実施形態の効果）
以上のように、２種類の結像レンズの各々についてゲートがある側と反対側の主走査方向の側面（主走査方向の同じ側の端部）に、互いに光軸方向の異なる位置にリブを設ける。これにより、光路折り曲げミラーによる光路の折り返し方に関係なく、２種類のレンズの判別が可能となり、取り違えて組み込まれることを防止することが可能となる。
【００８７】
更には、リブの光軸方向の位置をゲートの光軸方向の位置とも異なる配置にすることにより、リブとゲートの判別を可能とし、結像レンズが主走査方向に反転した状態で組み込まれることを防止することが可能となる。
【００８８】
《第３の実施形態》
本実施形態は、図１０のような光路の折り曲げ方がされる結像光学系に対し、第１の実施形態のように光軸方向の異なる位置にリブを設けることで、２種類の結像レンズを判別するものである。なお、第１の実施形態の構成に関する説明は割愛する。
【００８９】
第１、第２の実施形態では、偏向手段を挟んで互いに対向し、偏向手段の異なる偏向面で偏向される第１、第２の光束を第１、第２の被走査面に導光する２種類の結像光学素子に関して、リブを光軸方向異なる位置に設けた。これに対し、本実施形態では、同一の偏向面で偏向される第１、第２の光束を第１、第２の被走査面に導光する２種類の結像光学素子に関して、リブを光軸方向異なる位置に設ける。
【００９０】
図１０で、結像レンズ９Ａに関しては、副走査方向で下方側を不要な部分として削除する偏心レンズとなっている（図１６（ａ））。そして、結像光学系ＳＡでは、光路を折り曲げる折り曲げミラーが奇数枚（１枚）、即ち反射面の数が奇数枚（１枚）用いられる。一方、結像レンズ９Ｂに関しては、結像レンズ９Ａと異なる形状（結像レンズ９Ｄと同一の形状）を備える偏心レンズとなっている（図１６（ａ））。そして、結像光学系ＳＢでは、光路を折り曲げる折り曲げミラーが奇数枚（３枚）、即ち反射面の数が奇数枚（３枚）用いられる。
【００９１】
また、結像レンズ９Ａに対向する結像レンズ９Ｄに関しては、副走査方向で下方側を不要な部分として削除する偏心レンズとなっている（図１６（ａ））。そして、結像光学系ＳＤでは、光路を折り曲げる折り曲げミラーが奇数枚（１枚）、即ち反射面の数が奇数枚（１枚）用いられる。一方、結像レンズ９Ｃに関しては、結像レンズ９Ｄと異なる形状（結像レンズ９Ａと同一の形状）を備える偏心レンズとなっている（図１６（ａ））。そして、結像光学系ＳＣでは、光路を折り曲げる折り曲げミラーが奇数枚（３枚）、即ち反射面の数が奇数枚（３枚）用いられる。
【００９２】
本実施形態では、図１０のような光路の折り曲げ方がされる結像光学系に対して、第１の実施形態におけるリブを用いるものである。即ち、２種類の結像レンズの各々についてゲートがある側と反対側の主走査方向の側面に、互いに光軸方向の異なる位置にリブを設ける。例えば、１種類の結像レンズ（結像レンズ９Ａ（９Ｃ））は入射面側にリブを設け、もう１種類の結像レンズ（結像レンズ９Ｄ（９Ｂ））は出射面側にリブを設ける。
【００９３】
更には、リブの副走査方向の厚みをゲートの副走査方向の厚みよりも薄くする。これにより、２種類の結像レンズを判別し、誤って組み込まれることを防止することができる。
【００９４】
《第４の実施形態》
本実施形態は、図１０のような光路の折り曲げ方がされる結像光学系に対し、第２の実施形態のように光軸方向の異なる位置にリブを設けることで、２種類の結像レンズを判別するものである。なお、第２の実施形態の構成に関する説明は割愛する。
【００９５】
本実施形態も第３の実施形態と同様に、同一の偏向面で偏向される第１、第２の光束を第１、第２の被走査面に導光する２種類の結像光学素子に関して、リブを光軸方向異なる位置に設ける。
【００９６】
図１０で、結像レンズ９Ａに関しては、副走査方向で下方側を不要な部分として削除する偏心レンズとなっている（図１６（ａ））。そして、結像光学系ＳＡでは、光路を折り曲げる折り曲げミラーが奇数枚（１枚）、即ち反射面の数が奇数枚（１枚）用いられる。一方、結像レンズ９Ｂに関しては、結像レンズ９Ａと異なる形状（結像レンズ９Ｄと同一の形状）を備える偏心レンズとなっている（図１６（ａ））。そして、結像光学系ＳＢでは、光路を折り曲げる折り曲げミラーが奇数枚（３枚）、即ち反射面の数が奇数枚（３枚）用いられる。
【００９７】
また、結像レンズ９Ａに対向する結像レンズ９Ｄに関しては、副走査方向で下方側を不要な部分として削除する偏心レンズとなっている（図１６（ａ））。そして、結像光学系ＳＤでは、光路を折り曲げる折り曲げミラーが奇数枚（１枚）、即ち反射面の数が奇数枚（１枚）用いられる。一方、結像レンズ９Ｃに関しては、結像レンズ９Ｄと異なる形状（結像レンズ９Ａと同一の形状）を備える偏心レンズとなっている（図１６（ａ））。そして、結像光学系ＳＣでは、光路を折り曲げる折り曲げミラーが奇数枚（３枚）、即ち反射面の数が奇数枚（３枚）用いられる。
【００９８】
本実施形態は、図１０のような光路の折り曲げ方がされる結像光学系に対して、第２の実施形態におけるリブを用いるものである。即ち、１種類の結像レンズ（結像レンズ９Ｄ（９Ｂ））は出射面側にリブを設け、もう１種類の結像レンズ（結像レンズ９Ａ（９Ｃ））は出射面側と入射面側の間（入射面側のＹ基準、他方の種類の結像レンズの出射面側のリブと異なる位置）にリブを設ける。これにより、２種類の結像レンズを判別し、誤って組み込まれることを防止することができる。
【００９９】
（変形例）
以上、本発明の好ましい実施形態について説明したが、本発明はこれに限定されず、本発明の範囲内で種々の変形が可能である。
【０１００】
（変形例１）
上述した実施形態では、２種類の結像光学素子（結像レンズ）に関し、光軸方向にずれたリブを副走査断面内で同じ高さ位置としたが、光軸方向にずれたリブを副走査断面内で異なる高さ位置としても良い。
【０１０１】
また、２種類の結像光学素子（結像レンズ）に関し、光軸方向にずれたリブを同一形状としても良いし、異なる形状としても良い。また、異なる形状の他、異なる色あるいは模様とすることもできる。例えば、光軸方向にずれたリブを同一形状であって、異なる色あるいは模様とすることで、より判別がし易くなる。
【０１０２】
（変形例２）
上述した実施形態では、２種類の結像光学素子（結像レンズ）が外形中心に対して副走査方向に非対称なレンズ（偏心レンズ）の場合を示した。しかしながら、本発明はこれに限らず、副走査方向の形状が非対称形状であって、かつ主走査方向への変化の仕方が非対称のレンズに適用できる。
【０１０３】
（変形例３）
第１の実施形態では、リブの光軸方向の位置を結像レンズ９Ａ（９Ｂ）では入射面側、９Ｃ（９Ｄ）では出射面側にリブを設けたが、互いに異なる位置に配置されていればこの組み合わせに限られるものではない。例えば、結像レンズ９Ａ（９Ｂ）は出射面側、９Ｃ（９Ｄ）は入射面側にリブを設けても良い。
【０１０４】
また、第２の実施形態では、リブの光軸方向の位置を結像レンズ９Ａ（９Ｂ）では光軸方向ほぼ中央、９Ｃ（９Ｄ）では出射面側に設けたが、互いに異なる位置に配置されていればこの組み合わせに限られるものではない。
【０１０５】
（変形例４）
上述した実施形態では、リブの副走査方向の厚みをゲートの副走査方向の厚みよりも薄くすることで、リブとゲートの判別を可能とし、結像レンズが主走査方向に反転した状態で組み込まれることを防止した。本発明はこれに限定されず、例えばリブの光軸方向の厚みをゲートの光軸方向の厚みよりも薄くするようにしても良い。
【０１０６】
（変形例５）
上述した実施形態では、Ｚ基準はレンズ側に凸部（半円柱状）を設けたが、筐体のレンズ受部側にＺ基準として凸部（半円柱状）を設け、レンズ側は凸部（半円柱状）を設けず平らなＺ基準面とし、突き当てることで副走査方向の位置決めをしても良い。
【０１０７】
また、Ｘ基準についても同様である。即ち、上述した実施形態では、Ｘ基準はレンズ側に凸部（半円柱状）を設けたが、筐体のレンズ受部側にＸ基準として凸部（半円柱状）を設け、レンズ側は凸部（半円柱状）を設けず平らなＸ基準面とし、突き当てることで光軸方向の位置決めをしても良い。加えて、Ｘ基準については入射面側でなく出射面側に設けても良い。
【０１０８】
また、Ｙ基準について、上述した実施形態では、Ｙ基準は筐体のレンズ受部側に凸部（半円柱状）を設けたが、レンズ側にＹ基準として凸部（半円柱状）を設けても良い。
【符号の説明】
【０１０９】
１Ａ、１Ｂ・・光源手段、６・・偏向手段（回転多面鏡）、９Ａ〜９Ｄ・・結像レンズ、１０Ａ〜１０Ｄ・・被走査面（感光ドラム）、ＳＡ〜ＳＤ・・結像光学系、Ｔ１、Ｔ２・・リブ
【図１】
2015087506.tif 000003
【図２】
2015087506.tif 000004
【図３】
2015087506.tif 000005
【図４】
2015087506.tif 000006
【図５】
2015087506.tif 000007
【図６】
2015087506.tif 000008
【図７】
2015087506.tif 000009
【図８】
2015087506.tif 000010
【図９】
2015087506.tif 000011
【図１０】
2015087506.tif 000012
【図１１】
2015087506.tif 000013
【図１２】
2015087506.tif 000014
【図１３】
2015087506.tif 000015
【図１４】
2015087506.tif 000016
【図１５】
2015087506.tif 000017
【図１６】
2015087506.tif 000018